(57)【要約】  本発明は、従来に比べて高い意匠性をもつ平面光源及び照明装置を提供する。  発光面を有する面発光パネルと、面発光パネルの発光面を覆う化粧部材を備え、発光面には、点灯時に、光を放射する発光領域と、発光領域を囲む非発光の額縁領域が存在し、化粧部材は、模様形成部を有し、模様形成部は、正面視したときに、額縁領域の全域を覆う額縁遮蔽部と、額縁遮蔽部から発光領域を複数の領域に分割するように延びる発光遮蔽部を備えている構成とする。
2018100741.tif 000002
【特許請求の範囲】
【請求項１】
発光面を有する面発光パネルと、前記面発光パネルの発光面を覆う化粧部材を備えた平面光源であって、
前記発光面には、点灯時に、光を放射する発光領域と、前記発光領域を囲む非発光の額縁領域が存在し、
前記化粧部材は、模様形成部を有し、
前記模様形成部は、正面視したときに、前記額縁領域の全域を覆う額縁遮蔽部と、前記額縁遮蔽部から前記発光領域を複数の領域に分割するように延びる発光遮蔽部を備えていることを特徴とする平面光源。
【請求項２】
前記発光遮蔽部は、正面視したときに、前記発光領域の５％以上７５％以下を覆うことを特徴とする請求項１に記載の平面光源。
【請求項３】
前記化粧部材は、前記模様形成部を含む本体板部と、前記本体板部の端部から折れ曲がった側面板部を有し、
前記面発光パネルは、面発光タイルと、前記面発光タイルを保護するフレーム部材を有し、
前記フレーム部材は、樹脂製であって、弾性を有するものであり、
前記フレーム部材の一部は、前記面発光タイルの端面と、前記側面板部によって挟まれていることを特徴とする請求項１又は２に記載の平面光源。
【請求項４】
前記面発光パネルは、消灯時において、前記模様形成部とともに一つの鏡面を形成することを特徴とする請求項１〜３のいずれかに記載の平面光源。
【請求項５】
前記模様形成部は、幅が等しい発光遮蔽部を少なくとも２つ有し、
前記２つの発光遮蔽部は、正面視したときに、前記発光領域を３つ以上に分割していることを特徴とする請求項１〜４のいずれかに記載の平面光源。
【請求項６】
前記模様形成部は、板状であって、前記発光領域からの光を透過可能な光透過孔を複数備えていることを特徴とする請求項１〜５のいずれかに記載の平面光源。
【請求項７】
前記発光遮蔽部は、正面視したときに、縦方向成分及び横方向成分をもって延びる遮蔽延伸部を備えていることを特徴とする請求項１〜６のいずれかに記載の平面光源。
【請求項８】
前記発光領域の総面積に対する前記模様形成部が前記発光領域を覆う総面積を遮蔽率としたときに、前記発光遮蔽部によって分割された領域の中には、遮蔽率が異なる領域が含まれていることを特徴とする請求項１〜７のいずれかに記載の平面光源。
【請求項９】
請求項１〜８のいずれかに記載の平面光源と、前記平面光源と模様形成部が異なる他の平面光源を有した照明装置であって、
前記平面光源と前記他の平面光源は、隣接して並べられており、
前記発光領域の総面積に対する前記模様形成部が前記発光領域を覆う総面積を遮蔽率としたときに、前記平面光源と前記他の平面光源は、遮蔽率が異なることを特徴とする照明装置。
【請求項１０】
前記平面光源の模様形成部と、前記他の平面光源の模様形成部は、点灯時に一つの模様を構成することを特徴とする請求項９に記載の照明装置。
【請求項１１】
請求項１〜８のいずれかに記載の平面光源と、被取付面に対して固定可能な取付部材を備える照明装置であって、
前記取付部材は、磁力発生部又は強磁性部を有し、
前記平面光源は、背面側に、前記取付部材の磁力発生部又は強磁性部と対をなす強磁性部又は磁力発生部を備えており、前記磁力発生部と前記強磁性部との間で生じる磁力によって前記取付部材に固定されていることを特徴とする照明装置。
【発明の詳細な説明】
【技術分野】
【０００１】
本発明は、面状に発光する平面光源及び照明装置に関する。
【背景技術】
【０００２】
従来から有機ＥＬパネルは、照明装置の光源として使用されている（例えば、特許文献１）。有機ＥＬパネルは、平面光源であるとともに、薄くて軽いという特徴を有するので、設置場所の制約が少ない。そのため、近年では、有機ＥＬパネルを天井に設置する天井用照明装置だけではなく、壁等の壁面に設置する壁面用照明装置として用途が検討されている。【０００３】
壁等の壁面に使用される壁面用照明装置は、単に照明としての機能だけではなく、インテリアの一部として使用されるため、高い意匠性が求められている。
【先行技術文献】
【特許文献】
【０００４】
【特許文献１】特開２０１６−１５２１５７号公報
【発明の概要】
【発明が解決しようとする課題】
【０００５】
ところで、従来の天井に使用する天井用照明装置は、有機ＥＬパネルの発光領域からの光を他の部材によって遮らずに設置することで、面状光の光量が最大限になるようにしていた。そのため、発光領域の形状がそのまま面状光の照射範囲となっており、例えば、光源が四角形状の有機ＥＬパネルの場合には、その発光領域の形状も四角形状となり、四角形状の面状光が照射されることになる。そのため、従来の天井用照明装置をそのまま壁面用照明装置に採用すると、点灯時に面白味がなく、単調な印象となってしまい、更なる意匠性の向上が求められていた。【０００６】
そこで、本発明は、従来に比べて高い意匠性をもつ平面光源及び照明装置を提供することを課題とする。
【課題を解決するための手段】
【０００７】
上記した課題を解決するための本発明の一つの様相は、発光面を有する面発光パネルと、前記面発光パネルの発光面を覆う化粧部材を備えた平面光源であって、前記発光面には、点灯時に、光を放射する発光領域と、前記発光領域を囲む非発光の額縁領域が存在し、前記化粧部材は、模様形成部を有し、前記模様形成部は、正面視したときに、前記額縁領域の全域を覆う額縁遮蔽部と、前記額縁遮蔽部から前記発光領域を複数に分割するように延びる発光遮蔽部を備えている平面光源である。【０００８】
本様相によれば、面発光パネルは、発光領域からの光が化粧部材の模様形成部によって遮られ、所望の模様の光が照射されるので、従来に比べて意匠性が高い。
本様相によれば、正面視したときに、面発光パネルの非発光の額縁領域が額縁遮蔽部によって隠されるので、使用者側から面発光パネルの非発光の額縁領域が視認されない。そのため、非発光の額縁領域が外観形状に影響を与えず、模様形成部によって所望の外観を形成できる。
本様相によれば、面発光パネルは、化粧部材の発光領域を囲む額縁遮蔽部と発光領域を分割する発光遮蔽部によって機械的強度が補強されているので、面発光パネルの反り等を抑制することができる。【０００９】
好ましい様相は、前記発光遮蔽部は、正面視したときに、前記発光領域の５％以上７５％以下を覆うことである。【００１０】
本様相によれば、発光遮蔽部がある程度面積をもつので、機械的強度を十分に確保しつつ、化粧部材／面発光パネル間に閉じ込められた光起因蓄熱に伴ってパネル温度が上昇することによる不具合を防止できる。【００１１】
好ましい様相は、前記化粧部材は、前記模様形成部を含む本体板部と、前記本体板部の端部から折れ曲がった側面板部を有し、前記面発光パネルは、面発光タイルと、前記面発光タイルを保護するフレーム部材を有し、前記フレーム部材は、樹脂製であって、弾性を有するものであり、前記フレーム部材の一部は、前記面発光タイルの端面と、前記側面板部によって挟まれていることである。【００１２】
本様相によれば、弾性を有するフレーム部材の一部が面発光タイルの端面と側面板部によって挟まれているので、フレーム部材が緩衝部材として機能し、面発光タイルの熱膨張による歪みを吸収することができる。そのため、薄いガラスパネルを支持基板とする面発光タイルであっても割れにくく、安全性が高い。【００１３】
好ましい様相は、前記面発光パネルは、消灯時において、前記模様形成部とともに一つの鏡面を形成することである。【００１４】
本様相の構成によれば、消灯時に一つの鏡として使用することができる。【００１５】
好ましい様相は、前記模様形成部は、幅が等しい発光遮蔽部を少なくとも２つ有し、前記２つの発光遮蔽部は、正面視したときに、前記発光領域を３つ以上に分割していることである。【００１６】
本様相によれば、少なくとも２つの発光遮蔽部によって、発光領域を３つ以上に分割するように補強しているので、桟としての機能をより発揮でき、面発光パネルの反り等をより防止できる。【００１７】
好ましい様相は、前記模様形成部は、板状であって、前記発光領域からの光を透過可能な光透過孔を複数備えていることである。【００１８】
本様相によれば、模様形成部が発光領域からの光を透過可能な光透過孔を複数備えているので、光透過孔に合った形状の光を照射することができる。すなわち、光透過孔の形状を所望の模様にすることによって所望の模様を浮き上がらせることができる。【００１９】
好ましい様相は、前記発光遮蔽部は、正面視したときに、縦方向成分及び横方向成分をもって延びる遮蔽延伸部を備えていることである。【００２０】
本様相によれば、遮蔽延伸部が横方向成分と縦方向成分をもって延びているため、縦方向及び横方向の反りや撓み等に対して、面発光パネルを補強することができる。【００２１】
好ましい様相は、前記発光領域の総面積に対する前記模様形成部が前記発光領域を覆う総面積を遮蔽率としたときに、前記発光遮蔽部によって分割された領域の中には、遮蔽率が異なる領域が含まれていることである。【００２２】
本様相によれば、発光領域が発光遮蔽部によって分割された領域の中に遮蔽率が異なる領域が含まれているので、点灯時に平面光源の領域内で濃淡が形成され、他の平面光源と並べたときに、模様を形成しやすい。【００２３】
本発明の一つの様相は、上記の平面光源と、前記平面光源と模様形成部が異なる他の平面光源を有した照明装置であって、前記平面光源と前記他の平面光源は、隣接して並べられており、前記発光領域の総面積に対する前記模様形成部が前記発光領域を覆う総面積を遮蔽率としたときに、前記平面光源と前記他の平面光源は、遮蔽率が異なる照明装置である。【００２４】
本様相によれば、隣接する一の平面光源と他の平面光源で遮蔽率が異なるので、一の平面光源と他の平面光源の間で照射光に濃淡が形成される。そのため、平面光源間の濃淡を使用して、模様や絵を形成することができ、より意匠性を向上させることができる。【００２５】
好ましい様相は、前記平面光源の模様形成部と、前記他の平面光源の模様形成部は、点灯時に一つの模様を構成することである。【００２６】
本様相によれば、平面光源間の濃淡により、一つの模様を形成することができるので、さらに意匠性を向上させることができる。【００２７】
本発明の一つの様相は、上記の平面光源と、被取付面に対して固定可能な取付部材を備える照明装置であって、前記取付部材は、磁力発生部又は強磁性部を有し、前記平面光源は、背面側に、前記取付部材の磁力発生部又は強磁性部と対をなす強磁性部又は磁力発生部を備えており、前記磁力発生部と前記強磁性部との間で生じる磁力によって前記取付部材に固定されている照明装置である。【００２８】
本様相によれば、平面光源の背面に設けられた強磁性部又は磁力発生部と、取付部材の磁力発生部又は強磁性部との間の引力によって平面光源が取付部材に固定されているので、平面光源は、強磁性部及び磁力発生部によって発光面が遮られることなく、取付部材に取り付けることができる。
【発明の効果】
【００２９】
本発明の平面光源及び照明装置によれば、従来に比べて意匠性が高い。
【図面の簡単な説明】
【００３０】
【図１】本発明の第１実施形態における照明装置の使用状態を模式的に示す斜視図である。
【図２】図１の照明装置の分解斜視図である。
【図３】図２の平面光源の分解斜視図である。
【図４】図２の平面光源を別の方向からみた斜視図である。
【図５】図２の平面光源の断面図であり、（ａ）は縦断面図であり、（ｂ）は横断面図である。
【図６】図３の面発光パネルの説明図であり、（ａ）は正面図であり、（ｂ）は背面図である。
【図７】図３の面発光パネルの分解斜視図である。
【図８】図７の面発光パネルの背面側からみた分解斜視図である。
【図９】図３の化粧部材の正面図である。
【図１０】図９の化粧部材の各領域を示す正面図であり、（ａ）は全体を示し、（ｂ）は第１領域に注目した図であり、（ｃ）は第２領域に注目した図である。
【図１１】本発明の第１実施形態の平面光源の説明図であり、（ａ）は図２の平面光源とは異なる平面光源の正面図であり、（ｂ）は各領域を示す正面図である。
【図１２】図３の取付部材の斜視図である。
【図１３】図１の照明装置の要部の正面図である。
【図１４】図２の平面光源の平面図であり、（ａ）は点灯時を示し、（ｂ）は消灯時を示す。なお、点灯部分をドットで示している。
【図１５】図１の照明装置の平面図であり、（ａ）は点灯時を示し、（ｂ）は消灯時を示す。なお、点灯部分をドットで示している。
【図１６】本発明の第２実施形態における照明装置を縦姿勢で被取付面に設置した場合の斜視図である。
【図１７】図１６の照明装置の分解斜視図である。
【図１８】図１６の照明装置を縦姿勢で被取付面に設置した場合の組み立てる際の斜視図である。
【図１９】図１６の照明装置を横姿勢で被取付面に設置した場合の組み立てる際の斜視図である。
【図２０】図１９の横姿勢の照明装置の断面図である。
【図２１】本発明の第３実施形態における化粧部材の正面図である。
【図２２】図２１の化粧部材の各領域を示す正面図であり、（ａ）は全体を示し、（ｂ）は第１領域に注目した図であり、（ｃ）は第２領域に注目した図である。
【図２３】本発明の第３実施形態における平面光源の平面図であり、（ａ）は点灯時を示し、（ｂ）は消灯時を示す。なお、点灯部分をドットで示している。
【図２４】本発明の第４実施形態における平面光源の正面図である。
【図２５】図２４の化粧部材の各領域を示す正面図であり、（ａ）は全体を示し、（ｂ）は第１領域に注目した図である。
【図２６】本発明の第４実施形態における平面光源の平面図であり、（ａ）は点灯時を示し、（ｂ）は消灯時を示す。なお、点灯部分をドットで示している。
【図２７】本発明の第５実施形態における平面光源の正面図である。
【図２８】図２７の化粧部材の各領域を示す正面図であり、（ａ）は全体を示し、（ｂ）は第１領域に注目した図であり、（ｃ）は第２領域に注目した図である。
【図２９】本発明の他の実施形態の平面光源の正面図であり、（ａ）は第６実施形態の平面光源を表し、（ｂ）は第７実施形態の平面光源を表す。
【図３０】本発明の他の実施形態の平面光源の正面図であり、（ａ）は第８実施形態の平面光源を表し、（ｂ）は第９実施形態の平面光源を表し、（ｃ）は第１０実施形態の平面光源を表す。
【図３１】本発明の他の実施形態の照明装置を構成する平面光源の一例を示す正面図である。
【図３２】本発明の他の実施形態の照明装置を示す正面図である。
【図３３】本発明の他の実施形態の平面光源の正面図である。
【図３４】本発明の他の各実施形態の化粧部材の正面図であり、（ａ）は麻の葉模様の場合であり、（ｂ）は胡麻模様の場合であり、（ｃ）は桜模様の場合であり、（ｄ）は蜀江模様の場合であり、（ｅ）は紗綾形崩し模様の場合であり、（ｆ）は井筒割菱模様の場合であり、（ｇ）は割菱つなぎ模様の場合であり、（ｈ）は三重菱模様の場合であり、（ｉ）は千本格子模様の場合であり、（ｊ）は桝格子模様の場合であり、（ｋ）は青海波模様の場合であり、（ｌ）は七宝模様の場合であり、（ｍ）はかさね竜胆模様の場合であり、（ｎ）は籠目模様の場合であり、（ｏ）は三つ組手亀甲模様の場合であり、（ｐ）は分銅輪つなぎ模様の場合であり、（ｑ）は積石亀甲模様の場合である。
【図３５】本発明の他の実施形態の平面光源の正面図であり、（ａ）は消灯時の他の実施形態の平面光源の正面図を表し、（ｂ）は（ａ）の点灯時の平面光源の正面図を表し、（ｃ）は消灯時の（ａ）とは異なる他の実施形態の平面光源の正面図を表し、（ｄ）は（ｃ）の点灯時の平面光源の正面図を表す。なお、点灯部分をドットで示している。
【図３６】本発明の他の実施形態の平面光源の正面図であり、（ａ）は消灯時の他の実施形態の平面光源の正面図を表し、（ｂ）は（ａ）の点灯時の平面光源の正面図を表し、（ｃ）は消灯時の（ａ）とは異なる他の実施形態の平面光源の正面図を表し、（ｄ）は（ｃ）の点灯時の平面光源の正面図を表す。なお、点灯部分をドットで示している。
【発明を実施するための形態】
【００３１】
以下、本発明の実施形態について詳細に説明する。
【００３２】
本発明の第１実施形態の照明装置１は、図１に示されるように、壁、天井、床面等の壁面たる被取付面５００に取り付けられ、居住空間５０１側を照らすものである。照明装置１は、他の複数の照明装置１と並設されて一つの照明システムを構成するものである。
【００３３】
照明装置１は、図２に示されるように、１又は複数種類の平面光源２と、取付部材３を備えている。
ここで、以下の説明においては、理解を容易にするため、模様形成部６０（６０ａ，６０ｂ）の形状が異なる２種類の平面光源２（２ａ，２ｂ）を組み合わせて照明装置１を構成する場合について説明する。
【００３４】
平面光源２ａは、図３に示されるように、面発光パネル１０と、化粧部材１１を備えている。
面発光パネル１０は、面状に広がりをもち、面状光を放射可能な発光パネルである。具体的には、面発光パネル１０は、有機ＥＬパネルであり、拡散光を照射可能となっている。面発光パネル１０は、図６に示されるように、一方の主面側に発光面１２を有し、他方の主面側に給電部１３ａ，１３ｂを備えている。
【００３５】
発光面１２には、図６（ａ）に示されるように、点灯時に、実際に発光する発光領域３０と、発光領域３０を囲む非発光の額縁領域３１が存在する。
【００３６】
発光領域３０は、点灯時に実際に発光し、光を照射する領域である。
発光領域３０は、正面視したときに、面発光パネル１０に内蔵される陽極層と、有機発光層を含む有機機能層と、陰極層の重畳部分であって、陽極層と有機機能層と陰極層がこの順に積層した有機ＥＬ素子に対応する部分である。すなわち、発光領域３０では、点灯する場合には、陽極層と陰極層に電圧を印加することによって有機発光層が発光し、光を照射することが可能となっている。
【００３７】
また、発光領域３０は、消灯時に陽極層又は陰極層の色が反映されて鏡面となるものである。
本実施形態の面発光パネル１０は、陽極層として透明導電層たる透明導電性酸化物層が採用されており、陰極層として金属光沢をもつ金属層又は金属合金層が採用されている。すなわち、本実施形態の発光領域３０は、消灯時に陰極層の色が反映されて鏡面となるものである。
【００３８】
発光領域３０は、正面視したときに四角形状をしており、発光面１２の中央に設けられている。本実施形態では、発光領域３０は、正方形状の領域である。
額縁領域３１は、面発光パネル１０の縁に沿って延び、発光領域３０を囲むように連続した非発光領域である。すなわち、額縁領域３１は、発光領域３０の外側に位置しており、四角環状をしている。
【００３９】
面発光パネル１０は、図７に示されるように、面発光タイル１５と、フレーム部材１６と、補強板１７を備えている。
面発光タイル１５は、四角形状の板状タイルであって、薄板状のタイルである。本実施形態の面発光タイル１５は、薄いガラス基板を支持基板とし、その上に上記した有機ＥＬ素子が積層された有機ＥＬタイルである。
【００４０】
面発光タイル１５は、図８に示されるように、背面に給電部１３ａ，１３ｂと、位置調整部１４ａ，１４ｂを備えている。
給電部１３ａ，１３ｂは、有機ＥＬ素子の陽極層及び陰極層のそれぞれと電気的に接続された端子であって、面発光タイル１５の背面から突出した端子部である。
位置調整部１４ａ，１４ｂは、補強板１７に対する面発光タイル１５の位置を調整する部位であり、取付部材３に対する平面光源２ａの位置を調整する部位でもある。具体的には、位置調整部１４ａ，１４ｂは、面発光タイル１５の背面から突出した突出部である。
【００４１】
フレーム部材１６は、面発光タイル１５の端面を保護する保護フレームであり、樹脂製の弾性部材である。フレーム部材１６は、正面視したときに、四角環状のフレームであり、図７，図８に示されるように、発光側覆部２０ａ〜２０ｄと、端面側覆部２１ａ〜２１ｄと、背面側覆部２２を備えている。
【００４２】
発光側覆部２０ａ〜２０ｄは、面発光タイル１５の発光面１２側を覆う部位であり、面発光パネル１０の額縁領域３１に属する部位である。
端面側覆部２１ａ〜２１ｄは、発光側覆部２０ａ〜２０ｄの端部と背面側覆部２２の端部を接続する接続壁部であって、面発光タイル１５の端面を覆う部位である。
背面側覆部２２は、図８に示されるように、面発光タイル１５の背面側を覆う部位であり、複数の辺側凸部２５ａ〜２５ｙと、４つの角側係合部２６ａ〜２６ｄを備えている。
【００４３】
辺側凸部２５ａ〜２５ｙは、端面側覆部２１ａ〜２１ｄから折れ曲がった部位である。
辺側凸部２５ａ〜２５ｙは、背面視したときに、端面側覆部２１ａ〜２１ｄから中央側に向かって突出した突出片であり、補強板１７の辺側凹部４１ａ〜４１ｙと嵌合可能な嵌合部である。
辺側凸部２５ａ〜２５ｙは、面発光パネル１０の各辺に沿って間隔を空けて配されており、本実施形態では、同一辺に属する辺側凸部２５，２５が等間隔に配されている。
角側係合部２６ａ〜２６ｄは、背面側覆部２２の各角部に設けられ、補強板１７の角側係合部４２ａ〜４２ｄと係合可能な係合部である。角側係合部２６ａ〜２６ｄは、それぞれ直角三角形状をしている。
【００４４】
補強板１７は、面発光パネル１０の背面側を覆う板状部位であり、強磁性体を材料とする強磁性部である。具体的には、補強板１７は、強磁性体たる鉄製の板体である。
補強板１７は、図８に示されるように、本体部４０と、辺側凹部４１ａ〜４１ｙと、角側係合部４２ａ〜４２ｄを備えている。
【００４５】
本体部４０は、正面視四角形状の部位であり、位置調整孔４３ａ，４３ｂと給電用挿通孔４５ａ，４５ｂを備えている。
位置調整孔４３ａ，４３ｂは、位置調整部１４ａ，１４ｂと対をなし、面発光タイル１５に対する補強板１７の位置を調整する部位である。具体的には、位置調整孔４３ａ，４３ｂは、位置調整部１４ａ，１４ｂを挿通可能な挿通孔であり、本体部４０の厚み方向に貫通した貫通孔である。
給電用挿通孔４５ａ，４５ｂは、面発光タイル１５の給電部１３ａ，１３ｂを挿通可能な挿通孔であり、本体部４０を厚み方向に貫通した貫通孔である。
【００４６】
辺側凹部４１ａ〜４１ｙは、図８から読み取れるように、背面視したときに、本体部４０の縁から内側に向かって延びる切り欠き部であり、フレーム部材１６の辺側凸部２５ａ〜２５ｙと嵌合可能な嵌合部である。
辺側凹部４１ａ〜４１ｙは、面発光パネル１０の各辺に沿って間隔を空けて配されており、本実施形態では、同一辺に属する辺側凹部４１，４１が等間隔に配されている。
角側係合部４２ａ〜４２ｄは、本体部４０の角部に設けられ、フレーム部材１６の角側係合部２６ａ〜２６ｄと係合可能な係合部である。角側係合部４２ａ〜４２ｄは、それぞれ直角三角形状をしている。
【００４７】
化粧部材１１は、正面視したときに鏡面光沢をもつ部材である。本実施形態の化粧部材１１は、少なくとも正面側の表面が金属又は金属合金で形成されており、金属光沢をもっている。
化粧部材１１は、図３から読み取れるように、本体板部５１と、本体板部５１の端部から折れ曲がった側面板部５２ａ〜５２ｄを備えている。
本体板部５１は、面発光パネル１０の発光面１２側を覆う飾り板であり、図９のように、特定の模様を構成する模様形成部６０ａを備えている。
【００４８】
模様形成部６０ａは、図９に示されるように、正面視したときに、組子状であって、角麻模様をした部位である。模様形成部６０ａは、額縁領域３１を覆う額縁遮蔽部６１と、発光領域３０の一部を覆う発光遮蔽部６２を備えている。
【００４９】
額縁遮蔽部６１は、正面視したときに額縁領域３１の全域と重なる部位であり、面発光パネル１０側からの光を遮蔽する部位である。すなわち、額縁遮蔽部６１は、縦方向延伸部６５，６６と、横方向延伸部６７，６８から構成されており、これらの端部同士が接続され、四角環状に連続している。
言い換えると、額縁遮蔽部６１は、縦方向延伸部６５，６６と横方向延伸部６７，６８が交差する額縁交差部７０〜７３を備えている。
額縁交差部７０〜７３は、模様形成部６０ａの角部を構成する角部交差部であり、四隅にそれぞれ形成されている。
【００５０】
発光遮蔽部６２は、正面視したときに、面発光パネル１０の発光領域３０を横断する横断遮蔽部７５と、面発光パネル１０の発光領域３０を縦断する縦断遮蔽部７６を備えている。
【００５１】
横断遮蔽部７５は、図９に示されるように、面状遮蔽部８０，８１と、接続遮蔽部８２，８３と、中央交差部８９から構成されている。
面状遮蔽部８０，８１は、縦方向延伸部６５，６６の中間部に設けられ、縦方向延伸部６５，６６から中央交差部８９側に半円状に広がった部位である。すなわち、面状遮蔽部８０，８１は、正面視したときに、終端が曲線状である。本実施形態の面状遮蔽部８０，８１は、縦方向延伸部６５，６６の延び方向の中央に設けられている。
ここでいう「中間部」とは、延び方向の中途部分であって、端部以外の部位をいう。以下においても同様とする。
【００５２】
接続遮蔽部８２，８３は、面状遮蔽部８０と中央交差部８９、中央交差部８９と面状遮蔽部８０のそれぞれの間を接続する部位であり、横方向Ｘに直線状に延びている。
【００５３】
縦断遮蔽部７６は、図９に示されるように、面状遮蔽部８５，８６と、接続遮蔽部８７，８８と、中央交差部８９から構成されている。
面状遮蔽部８５，８６は、横方向延伸部６７，６８の中間部に設けられ、横方向延伸部６７，６８から中央交差部８９側に半円状に広がった部位である。本実施形態の面状遮蔽部８５，８６は、横方向延伸部６７，６８の中央に設けられている。
【００５４】
接続遮蔽部８７，８８は、面状遮蔽部８５と中央交差部８９、中央交差部８９と面状遮蔽部８６のぞれぞれの間を接続する部位であり、縦方向Ｙに直線状に延びている。
【００５５】
中央交差部８９は、発光遮蔽部６２の中央に位置する部位であって、横断遮蔽部７５と縦断遮蔽部７６の交差する部位である。すなわち、中央交差部８９は、接続遮蔽部８２，８３，８７，８８が集中した部位である。
【００５６】
発光遮蔽部６２は、図１０（ａ）のように、横断遮蔽部７５及び縦断遮蔽部７６によって４つの第１領域７７ａ〜７７ｄに分割されている。
第１領域７７ａ〜７７ｄは、ともに四角形状の領域であり、具体的には、正方形状をしている。
第１領域７７ａ，７７ｂは、横断遮蔽部７５を対称軸として、第１領域７７ｄ，７７ｃと線対称の関係となっており、第１領域７７ａ，７７ｄは、縦断遮蔽部７６を対称軸として、第１領域７７ｂ，７７ｃと線対称の関係となっている。すなわち、発光遮蔽部６２は、正面視したときに中央交差部８９を回転軸として４回回転対称となっている。
【００５７】
第１領域７７ａ（７７ｂ〜７７ｄ）には、図１０（ｂ）から読み取れるように、第２接続遮蔽部９０ａ〜９０ｄ（遮蔽延伸部）が設けられており、第１領域７７ａ〜７７ｄは、第２接続遮蔽部９０ａ（９０ｂ〜９０ｄ）によって、それぞれ２つの第２領域９１ａ，９１ｂに分割されている。
第２接続遮蔽部９０ａ〜９０ｄは、面状遮蔽部８０，８１，８５，８６をそれぞれ接続する部位であり、斜め方向に直線状に接続する部位である。すなわち、第２接続遮蔽部９０ａ〜９０ｄは、正面視したときに、いずれも横方向Ｘ成分と縦方向Ｙ成分をもっている。
【００５８】
第２領域９１ａ，９１ｂは、ともに直角三角形状の領域であり、第２接続遮蔽部９０ａ（９０ｂ〜９０ｄ）を対称軸として線対称の関係となっている。
【００５９】
第２領域９１ａ，９１ｂには、図１０（ｃ）に示されるように、各頂点から中央側に向かって延びた第３接続遮蔽部９５ａ〜９５ｃ（遮蔽延伸部）が設けられている。そして、第３接続遮蔽部９５ａ〜９５ｃは、一つの交差部９６で交わっている。
第２領域９１ａ，９１ｂは、各角の二等分線状に延びた第３接続遮蔽部９５ａ〜９５ｃによって、それぞれ３つの第３領域９７ａ，９７ｂ，９７ｃに分割されている。
第３領域９７ａ，９７ｂ，９７ｃは、いずれも三角形状の領域である。
【００６０】
第３領域９７ａ，９７ｂ，９７ｃには、複数種類の光透過孔９８ａ，９８ｂ，９８ｃを備えている。
光透過孔９８ａ，９８ｂ，９８ｃは、面発光パネル１０の発光領域３０からの光を透過可能な孔であり、本体板部５１の厚み方向に貫通した貫通孔であり、それぞれ三角形状をしている。
【００６１】
ここで、本実施形態の平面光源２の各部位の位置関係について説明する。
【００６２】
面発光パネル１０は、図５に示されるように、面発光タイル１５の背面に補強板１７が覆っており、給電部１３ａ，１３ｂの一部が給電用挿通孔４５ａ，４５ｂを挿通して露出している。
面発光タイル１５は、正面側の一部がフレーム部材１６の発光側覆部２０ａ〜２０ｄで覆われており、端面がフレーム部材１６の端面側覆部２１ａ〜２１ｄによって覆われている。
面発光タイル１５は、背面側の一部がフレーム部材１６の背面側覆部２２によって覆われており、残部が補強板１７によって覆われている。
フレーム部材１６は、図４，図８から読み取れるように、辺側凸部２５ａ〜２５ｙが補強板１７の辺側凹部４１ａ〜４１ｙに挿入されて嵌っており、角側係合部２６ａ〜２６ｄが補強板１７の角側係合部４２ａ〜４２ｄと係合している。
【００６３】
化粧部材１１は、図３に示されるように、本体板部５１の模様形成部６０ａが面発光パネル１０の正面側を覆っている。具体的には、模様形成部６０ａは、図５から読み取れるように、額縁遮蔽部６１の延伸部６５〜６８がフレーム部材１６の発光側覆部２０ａ〜２０ｄを覆っており、発光遮蔽部６２が面発光タイル１５の点灯時における発光部位を覆っている。言い換えると、模様形成部６０ａは、額縁遮蔽部６１が面発光パネル１０の額縁領域３１を覆っており、発光遮蔽部６２が面発光パネル１０の発光領域３０を覆っている。
化粧部材１１は、図５から読み取れるように、側面板部５２が面発光パネル１０の端面を覆っている。すなわち、化粧部材１１の側面板部５２ａ〜５２ｄと面発光タイル１５との端面の間には、フレーム部材１６の端面側覆部２１ａ〜２１ｄが介在している。言い換えると、フレーム部材１６の端面側覆部２１ａ〜２１ｄは、化粧部材１１の側面板部５２ａ〜５２ｄと面発光タイル１５の端面によってそれぞれ挟まれている。
【００６４】
続いて、平面光源２ｂについて説明する。平面光源２ｂは、模様形成部６０の形状以外は平面光源２ａと同様であるため説明を省略する。また、模様形成部６０ｂにおいて、模様形成部６０ａと同様の構成については、同様の符号を付して説明を省略する。
【００６５】
平面光源２ｂの模様形成部６０ｂは、図１１（ａ）に示されるように、額縁領域３１を覆う額縁遮蔽部６１と、発光領域３０の一部を覆う発光遮蔽部１１９を備えている。
模様形成部６０ｂの発光遮蔽部１１９は、面発光パネル１０の発光領域３０を横断する横断遮蔽部７５と、面発光パネル１０の発光領域３０を縦断する縦断遮蔽部７６を備えている。そして、発光遮蔽部６２は、図１１（ｂ）に示されるように、横断遮蔽部７５及び縦断遮蔽部７６によって４つの第１領域１３０ａ〜１３０ｄに分割されている。
第１領域１３０ａ〜１３０ｄには第１領域７７ａ〜７７ｄとは異なり、第２接続遮蔽部９０ａ〜９０ｄ等が設けられていない。すなわち、模様形成部６０ｂの発光遮蔽部１１９は、模様形成部６０ａの発光遮蔽部６２とは異なり、横断遮蔽部７５及び縦断遮蔽部７６のみが設けられている。
また、第１領域１３０ａ〜１３０ｄには、四角形状の４つの光透過孔１２１が設けられている。
【００６６】
ここで、照明装置１を構成する平面光源２には、上記したように２種類の模様形成部６０（６０ａ，６０ｂ）がある。
模様形成部６０ａ，６０ｂの発光遮蔽部６２，１１９の遮蔽率は、５％以上７５％以下であることが好ましい。すなわち、模様形成部６０ａ，６０ｂの発光遮蔽部６２，１１９は、正面視したときに、面発光パネル１０の発光領域３０の５％以上７５％以下の範囲で重なっていることが好ましい。
この範囲であれば、発光遮蔽部６２がある程度面積をもつので、機械的強度を十分に確保しつつ、化粧部材１１／面発光パネル１０間に閉じ込められた光起因蓄熱に伴って、面発光パネル１０の温度が上昇することによる不具合を防止できる。
なお、ここでいう「遮蔽率」とは、発光領域の総面積に対する光遮蔽率をいう。すなわち、模様形成部６０の遮蔽率は、正面視したときの面発光パネル１０の発光領域３０の総面積に対する模様形成部６０が面発光パネル１０の発光領域３０を覆う面積を表す。
【００６７】
また、模様形成部６０ｂの発光遮蔽部１１９の遮蔽率は、模様形成部６０ａの発光遮蔽部６２の遮蔽率よりも小さい。
模様形成部６０ａの発光遮蔽部６２の遮蔽率と模様形成部６０ｂの発光遮蔽部１１９の遮蔽率の差は、照明装置１を構成するにあたって濃淡をより大きく表現する観点から、１０％以上７０％以下であることが好ましく、２０％以上６０％以下であることがより好ましい。
【００６８】
取付部材３は、壁等の被取付面５００に対して固定可能な部材であり、複数の平面光源２ａを被取付面５００に対して取り付ける部材である。
取付部材３は、図１２に示されるように、固定ユニット１１０ａ〜１１０ｃを複数備えている。固定ユニット１１０ａ〜１１０ｃは、横方向Ｘに延び、縦方向Ｙに並ぶ帯状の部分であり、本体壁部１００と、凸条部１０１，１０２と、複数の給電部１０５ａ，１０５ｂを備えている。
【００６９】
本体壁部１００は、正面視四角形状の壁部であり、横方向Ｘに延びた長板状の部位である。
凸条部１０１，１０２は、本体壁部１００から正面側に突出した凸部であって、横方向Ｘに延びている。凸条部１０１，１０２は、縦方向Ｙに幅をもっており、それぞれ磁力発生部が内蔵されている。
磁力発生部は、磁力を発生して平面光源２の補強板１７を引き付ける部位である。
磁力発生部は、永久磁石から構成されている。
【００７０】
凸条部１０１，１０２は、縦方向に間隔を空けて配されており、本体壁部１００とともに凹溝１０６を構成している。
凹溝１０６は、正面視したときに、凸条部１０１，１０２に挟まれた部分であり、凸条部１０１，１０２に対して窪んだ部位である。
凹溝１０６は、平面光源２ａの位置調整部１４ａ，１４ｂを挿入可能な有底溝であり、位置調整部１４ａ，１４ｂの移動方向及び姿勢を規制する部位である。
【００７１】
凹溝１０６は、図１２に示されるように、底部に取付穴１０７を備えている。
取付穴１０７は、締結要素５０５を挿入して被取付面５００に対して取り付けるための穴である。取付穴１０７は、凹溝１０６の底部を構成する本体壁部１００を厚み方向に貫通した貫通孔であり、横方向Ｘに延びた長穴でもある。
ここでいう「締結要素」とは、ねじ、釘、鋲などの上位概念であり、一時締結要素を含む概念である。以下においても同様とする。
本実施形態の締結要素５０５は、一時締結要素であり、具体的には、頭部と軸部を有するねじである。
【００７２】
給電部１０５ａ，１０５ｂは、外部電源又は隣接する他の給電部１０５ａ，１０５ｂと電気的に接続され、平面光源２ａへ給電する部位である。給電部１０５ａ，１０５ｂは、平面光源２ａの給電部１３ａ，１３ｂと接触することによって、平面光源２ａに給電可能となっている。
【００７３】
続いて、本実施形態の照明装置１の各構成部位の位置関係について説明する。
【００７４】
照明装置１は、図１３のように、複数種類の平面光源２ａ，２ｂが混在しており、取付部材３によって縦横に格子状に並設されている。照明装置１は、取付部材３によって平面光源２ａと平面光源２ｂが縦横交互に並べられている。
具体的には、照明装置１は、各平面光源２が取付部材３の磁力発生部によって補強板１７が引き寄せられ、各段の固定ユニット１１０ａ〜１１０ｃに固定されている。すなわち、照明装置１は、１段目の固定ユニット１１０ａによって、平面光源２ａ、平面光源２ｂ、平面光源２ａの順に横方向Ｘに並設されており、２段目の固定ユニット１１０ｂによって、平面光源２ｂ、平面光源２ａ、平面光源２ｂの順に横方向Ｘに並設されており、３段目の固定ユニット１１０ｃによって、平面光源２ａ、平面光源２ｂ、平面光源２ａの順に横方向Ｘに並設されている。
【００７５】
取付部材３は、取付穴１０７にねじ等の締結要素５０５が挿入されて、被取付面５００に対して固定されている。取付部材３の凹溝１０６には、面発光パネル１０の背面の一部を構成する補強板１７の位置調整孔４３ａ，４３ｂが挿入されている。給電部１０５は、給電用挿通孔４５を通過して面発光タイル１５の給電部１３と接続されている。
【００７６】
横方向Ｘに隣接する平面光源２ａと平面光源２ｂに注目すると、平面光源２ａの縦方向延伸部６５と平面光源２ｂの縦方向延伸部６６は、図１３のように、横方向Ｘに重なって一つの帯状に連続した帯状模様部１２０を形成している。平面光源２ａの横断遮蔽部７５と平面光源２ｂの横断遮蔽部７５は、横方向Ｘに直線状に並んでおり、一つの線状に延びた線状模様部を形成している。平面光源２ａの面状遮蔽部８１は、平面光源２ｂの面状遮蔽部８０と、縦方向延伸部６５，６６を介して、略円形状の円形模様部１２２を形成している。
【００７７】
縦方向Ｙに隣接する平面光源２ａと平面光源２ｂに注目すると、平面光源２ａの横方向延伸部６７と平面光源２ｂの横方向延伸部６８は、図１３のように、縦方向Ｙに重なって一つの帯状に連続した帯状模様部１２５を形成している。平面光源２ａの縦断遮蔽部７６と平面光源２ｂの縦断遮蔽部７６は、縦方向Ｙに直線状に並んでおり、一つの線状に延びた線状模様部を形成している。平面光源２ａの面状遮蔽部８５は、平面光源２ｂの面状遮蔽部８６と、横方向延伸部６７，６８を介して、略円形状の円形模様部１２７を形成している。円形模様部１２２，１２７は、それぞれ縦横等間隔に並んでおり、全体として格子点状に分布している。
【００７８】
続いて、本実施形態の照明装置１を点灯時及び消灯時の状態について説明する。
【００７９】
まず、照明装置１を点灯させた状態について説明する。
【００８０】
平面光源２ａ，２ｂは、図１４（ａ）のように、模様形成部６０によって発光領域３０からの照射光の一部が遮蔽され、模様形成部６０の形状に沿った模様が反映される。すなわち、発光領域３０からの光が各光透過孔９８ａ〜９８ｃを透過し、居住空間５０１側に照射され、各光透過孔９８ａ〜９８ｃが形成された部分のみが発光する。
また、照明装置１全体をみると、上記したように平面光源２ａの光透過孔９８ａ〜９８ｃと平面光源２ｂの光透過孔１２１は、総開口面積が異なるので、遮蔽率が異なり、面発光パネル１０の発光領域３０から照射される光の光透過率が異なる。すなわち、平面光源２ａは、平面光源２ｂに比べて遮蔽率が高いので、平面光源２ｂよりも暗くなる。そのため、図１５（ａ）のように、平面光源２ａと平面光源２ｂの間で濃淡が形成される。すなわち、照明装置１は、遠方からみて、複数（本実施形態では９つ）の平面光源２（２ａ，２ｂ）によって、一つの濃淡模様を形成している。
【００８１】
続いて、照明装置１を消灯させた状態について説明する。
【００８２】
面発光パネル１０は、図１４（ｂ）に示されるように発光領域３０において陰極層の色が反映され鏡面となり、化粧部材１１の模様形成部６０も鏡面光沢をもつものであるので、遠方からみて、化粧部材１１の模様形成部６０とともに一つの鏡面を構成する。
また、照明装置１は、図１５（ｂ）に示されるように各平面光源２ａ，２ｂが鏡面をそれぞれ形成し、遠方からみて、照明装置１全体として一つの大面積の鏡面となる。そのため、居住空間５０１が照明装置１に映し出され、居住空間５０１を大きく見せることができる。
【００８３】
本実施形態の平面光源２ａ，２ｂによれば、面発光パネル１０の正面が模様形成部６０で覆われており、発光領域３０からの光を部分的に遮るように発光遮蔽部６２が形成されているので、点灯時に模様形成部６０の模様が発光領域３０からの光で強調され、意匠性に優れた平面光源となる。
【００８４】
本実施形態の平面光源２ａ，２ｂによれば、消灯時に面発光パネル１０の発光領域３０と化粧部材１１の模様形成部６０が一つの鏡面を構成するため、鏡として機能することができる。
【００８５】
本実施形態の平面光源２ａ，２ｂによれば、化粧部材１１の発光遮蔽部６２の一部又は全部が額縁遮蔽部６１の各延伸部６５〜６８を繋ぐ桟とし、化粧部材１１が面発光パネル１０の補強部材として機能するため、機械的強度が補強されるとともに、点灯時における反り等の発生を抑制できる。
【００８６】
本実施形態の平面光源２ａ，２ｂによれば、厚み方向における発光領域３０の投影面上を模様形成部６０の発光遮蔽部６２が覆うため、発光領域３０が発光遮蔽部６２によって保護されており、点灯時の発光部分が破損しにくい。
【００８７】
本実施形態の平面光源２ａ，２ｂによれば、面発光タイル１５の周端面と、化粧部材１１の側面板部５２ａ〜５２ｄとの間に弾性を有するフレーム部材１６の一部が挟まれているため、面発光タイル１５と化粧部材１１との間の熱膨張係数の違いによる歪みを緩和することができる。
【００８８】
本実施形態の照明装置１によれば、平面光源２ａ，２ｂの第１領域７７ａ〜７７ｄ，１３０ａ〜１３０ｄがそれぞれ４回回転対称となっているため、どの方向で取付部材３に取り付けても同様の光を照射することができる。
【００８９】
本実施形態の照明装置１によれば、各平面光源２の模様形成部６０が連なって一つの模様を形成するため、点灯時に大面積の一つの模様を表示することができる。
また、本実施形態の照明装置１によれば、各平面光源２の模様形成部６０に三角形状をした光透過孔９８ａ，９８ｂ，９８ｃが多数設けられており、全体として面状に散りばめられているため、ステンドグラス状の模様を表示することができる。
【００９０】
本実施形態の照明装置１によれば、消灯時に各平面光源２が連なって一つの鏡面を構成するため、大面積の鏡として使用でき、居住空間５０１を映し出すことによって、居住空間５０１を広く見せることができる。
【００９１】
続いて、本発明の第２実施形態の照明装置２００について説明する。なお、第１実施形態の照明装置１と同様の構成については、同様の符番を付して説明を省略する。
【００９２】
第２実施形態の照明装置２００は、第１実施形態の照明装置１と取付部材の形状が異なる。照明装置２００は、図１６に示されるように、一つの取付部材２０３によって一つの平面光源２を支持するものである。また、取付部材２０３は２つの姿勢で平面光源２を固定可能となっている。
【００９３】
取付部材２０３は、図１７に示されるように、本体壁部２１０と、側面壁部２１１ａ〜２１１ｄと、凸条部１０１，１０２と、給電部１０５ａ，１０５ｂと、落下防止部材２１６を備えている。
本体壁部２１０は、正面視、面発光パネル１０の発光面１２の相似形状をした部位であり、本実施形態では正方形状の部位である。
側面壁部２１１ａ〜２１１ｄは、本体壁部２１０の各辺から立設された壁部である。
本体壁部２１０の縦辺（縦方向Ｙに延びた辺）から立ち上がった側面壁部２１１ｂ，２１１ｄは、第２取付穴２１７，２１８をそれぞれ備えている。
【００９４】
第２取付穴２１７，２１８は、締結要素５０５を挿入して取付部材２０３を被取付面５００に対して横姿勢で取り付ける場合の挿入孔であり、側面壁部２１１ｂ，２１１ｄを厚み方向に貫通した貫通孔である。
第２取付穴２１７，２１８は、縦姿勢において、縦方向Ｙに間隔を空けて配されている。
【００９５】
落下防止部材２１６は、平面光源２の取付部材２０３からの落下を防止する部材である。
落下防止部材２１６は、図１７に示されるように、紐状の部材であり、本体壁部２１０に固定される取付側固定部２２５と、面発光パネル１０の背面に固定可能なパネル側固定部２２６と、取付側固定部２２５とパネル側固定部２２６を繋ぐ接続部２２７を備えている。
落下防止部材２１６は、一方の端部である取付側固定部２２５が本体壁部２１０によって片持ち状に支持されており、パネル側固定部２２６は自由端となっている。
【００９６】
続いて、照明装置２００を被取付面５００に対して取り付けた場合の各部材の位置関係について説明する。
【００９７】
まず、照明装置２００を被取付面５００に対して縦姿勢で取り付けた場合について説明する。
照明装置２００は、図１８から読み取れるように、取付部材２０３によって平面光源２が被取付面５００に対して縦姿勢で固定されている。すなわち、照明装置２００は、平面光源２の発光面１２が被取付面５００と平行となっている。
具体的には、取付部材２０３は、取付穴１０７にねじ等の締結要素５０５が挿入されて、被取付面５００に対して固定されている。
横方向の平面光源２の両端面は、側面壁部２１１ａ，２１１ｃに覆われており、縦方向の平面光源２の両端面は、側面壁部２１１ｂ，２１１ｄに覆われている。すなわち、平面光源２の端面によって側面壁部２１１ｂ，２１１ｄの第２取付穴２１７，２１８は塞がれている。
平面光源２の正面は、側面壁部２１１ａ〜２１１ｄと面一となっている。
落下防止部材２１６は、取付部材２０３の本体壁部２１０と、面発光パネル１０の背面との間に介在しており、自由端側のパネル側固定部２２６が面発光パネル１０の背面に固定されている。
【００９８】
続いて、照明装置２００を被取付面５００に対して横姿勢で取り付けた場合について説明する。
【００９９】
照明装置２００は、図１９から読み取れるように、取付部材２０３によって平面光源２が被取付面５００に対して横姿勢で固定されている。すなわち、照明装置２００は、平面光源２の発光面１２が被取付面５００に対して直交する方向にも広がっている。
具体的には、取付部材２０３は、第２取付穴２１７，２１７にねじ等の締結要素５０５が挿入されて、被取付面５００に対して固定されている。奥行き方向の平面光源２の両端面は、図２０に示されるように、側面壁部２１１ｂ，２１１ｄに覆われており、横方向の平面光源２の両端面は、側面壁部２１１ａ，２１１ｃに覆われている。すなわち、平面光源２の端面によって側面壁部２１１ｂの第２取付穴２１７，２１７及び締結要素５０５の頭部は塞がれている。
【０１００】
第２実施形態の照明装置２００によれば、被取付面５００に対する平面光源２の姿勢を変更可能であるため、設置場所の制約が少ない。
【０１０１】
第２実施形態の照明装置２００によれば、横姿勢で設置した場合に締結要素５０５の抜き方向を発光パネルの端面で塞ぐため、締結要素５０５が外れにくい。
【０１０２】
第２実施形態の照明装置２００によれば、落下防止部材２１６を備えているため、平面光源２が取付部材２０３から外れたとしても地面に落下することを防止できる。
【０１０３】
続いて、第３実施形態の平面光源２５０について説明する。なお、第１，２実施形態の照明装置１，２００と同様の構成については、同様の符番を付して説明を省略する。
【０１０４】
第３実施形態の平面光源２５０は、模様形成部の形状が第１実施形態の平面光源２と異なる。
平面光源２５０の化粧部材２５１の模様形成部２５２は、図２１に示されるように、額縁遮蔽部６１と、発光遮蔽部２５３を備えている。
【０１０５】
発光遮蔽部２５３は、正面視したときに、面発光パネル１０の発光領域３０を横断する横断遮蔽部２５５と、面発光パネル１０の発光領域３０を縦断する縦断遮蔽部２５６を備えている。
【０１０６】
横断遮蔽部２５５は、図２１に示されるように、接続遮蔽部２５７，２５８と、中央交差部２６２から構成されている。
接続遮蔽部２５７，２５８は、縦方向延伸部６５と中央交差部２６２、中央交差部２６２と縦方向延伸部６６のそれぞれの間を接続する部位であり、横方向Ｘに直線状に延びている。
【０１０７】
縦断遮蔽部２５６は、図２１に示されるように、接続遮蔽部２６０，２６１と、中央交差部２６２から構成されている。
接続遮蔽部２６０，２６１は、横方向延伸部６７と中央交差部２６２、中央交差部２６２と横方向延伸部６７のぞれぞれの間を接続する部位であり、縦方向Ｙに直線状に延びている。
中央交差部２６２は、発光遮蔽部２５３の中央に位置し、横断遮蔽部２５５と縦断遮蔽部２５６の交差する部位であり、接続遮蔽部２５７，２５８，２６０，２６１が集中する部位である。
【０１０８】
発光遮蔽部２５３は、図２２（ａ）のように、横断遮蔽部２５５及び縦断遮蔽部２５６によって４つの第１領域２６５ａ〜２６５ｄに分割されている。
第１領域２６５ａ〜２６５ｄは、ともに四角形状の領域であり、具体的には正方形状の領域である。
第１領域２６５ａ及び第１領域２６５ｂは、横断遮蔽部２５５を対称軸として、第１領域２６５ｄ及び第１領域２６５ｃと線対称の関係となっており、第１領域２６５ａ及び第１領域２６５ｄは、縦断遮蔽部２５６を対称軸として、第１領域２６５ｂ及び第１領域２６５ｃと線対称の関係となっている。
【０１０９】
第１領域２６５ａ〜２６５ｄには、図２２（ｂ）から読み取れるように、第２接続遮蔽部２６６ａ〜２６６ｄが設けられており、第１領域２６５ａ〜２６５ｄは、第２接続遮蔽部２６６ａ〜２６６ｄによって４つの第２領域２６８ａ〜２６８ｄに分割されている。
第２接続遮蔽部２６６ａ〜２６６ｄは、正面視「Ｘ」字状の部位であり、遮蔽部２７０〜２７３と、交差部２７５を備えている。
【０１１０】
遮蔽部２７０は、額縁交差部７０〜７３と交差部２７５を繋ぐ部位であり、遮蔽部２７１は、交差部２７５と中央交差部２６２を繋ぐ部位である。遮蔽部２７０，２７１は、いずれも斜め方向に直線状に延びており、直線状に並んでいる。すなわち、遮蔽部２７０，２７１は、正面視したときに、横方向Ｘ成分と、縦方向Ｙ成分をもっている。
遮蔽部２７２は、縦方向延伸部６５，６６の中間部と交差部２７５を繋ぐ部位であり、遮蔽部２７３は、交差部２７５と横方向延伸部６７，６８の中間部を繋ぐ部位である。遮蔽部２７２，２７３は、遮蔽部２７０，２７１と交差する方向であって、斜め方向に直線状に延びており、直線状に並んでいる。すなわち、遮蔽部２７２，２７３は、正面視したときに、横方向成分と縦方向成分をもっている。
交差部２７５は、遮蔽部２７０〜２７３が集中する部位である。
第２領域２６８ａ〜２６８ｄは、ともに直角三角形状の領域であり、交差部２７５を回転軸として４回回転対称の関係となっている。
【０１１１】
第２領域２６８ａ〜２６８ｄには、図２２（ｃ）に示されるように、直角をなす角部から斜辺に向かって延びる第３接続遮蔽部２７８が設けられており、第２領域２６８ａ〜２６８ｄは、第３接続遮蔽部２７８によって、２つの第３領域２８０ａ，２８０ｂに分割されている。
第３領域２８０ａ，２８０ｂは、直角三角形状の領域であり、直角をなす角部から斜辺に向かって延びた第４接続遮蔽部２８１と第５接続遮蔽部２８２を備えている。
第４接続遮蔽部２８１は、直角をなす角部から二等分線状に延びた部位であり、第５接続遮蔽部２８２は、第４接続遮蔽部２８１と第３接続遮蔽部２７８とでなす角部から二等分線状に延びた部位である。
第３領域２８０ａ，２８０ｂは、第３接続遮蔽部２７８を対称軸として、線対称の関係となっている。
【０１１２】
第３領域２８０ａ，２８０ｂには、図２１，図２２から読み取れるように、複数種類の光透過孔２８３ａ，２８３ｂ，２８３ｃを備えている。
光透過孔２８３ａ，２８３ｂ，２８３ｃは、面発光パネル１０の発光領域３０からの光を透過可能な孔であり、本体板部５１の厚み方向に貫通した貫通孔であり、それぞれ三角形状をしている。
光透過孔２８３ａ，２８３ｂ，２８３ｃは、各第３領域２８０ａ，２８０ｂに設けられ、第４接続遮蔽部２８１と第５接続遮蔽部２８２によって仕切られた孔である。
【０１１３】
続いて、平面光源２５０を点灯した状態及び消灯した状態について説明する。
【０１１４】
平面光源２５０は、図２３（ａ）のように、点灯させた状態では、模様形成部２５２によって発光領域３０からの光の一部が遮蔽され、模様形成部２５２の形状に沿った模様が反映される。すなわち、発光領域３０からの光が各光透過孔２８３ａ〜２８３ｃを透過し、居住空間５０１側に照射され、各光透過孔２８３ａ〜２８３ｃが形成された部分のみが発光する。
【０１１５】
一方、平面光源２５０は、図２３（ｂ）のように、消灯した状態では、発光領域３０の化粧部材２５１からの露出部分も鏡面となり、化粧部材２５１の模様形成部２５２とともに一つの鏡面を構成する。
【０１１６】
第３実施形態の平面光源２５０であれば、第１実施形態の平面光源２ａ，２ｂに比べて発光遮蔽部２５３による発光領域３０からの照射光の遮蔽率が大きいので、点灯時に第１実施形態の平面光源２ａ，２ｂと並設した場合により濃い色を呈することができる。
【０１１７】
続いて、第４実施形態の平面光源３００について説明する。なお、第１〜３実施形態の平面光源２ａ，２ｂ，２５０と同様の構成については、同様の符番を付して説明を省略する。
【０１１８】
第４実施形態の平面光源３００は、図２４のように発光遮蔽部の一部の形状が第３実施形態の平面光源２５０と異なる。
平面光源３００の発光遮蔽部３０１は、第３実施形態の発光遮蔽部２５３と同様、図２５（ａ）のように、横断遮蔽部２５５及び縦断遮蔽部２５６によって４つの第１領域３０２ａ，３０２ｂ，２６５ｃ，３０２ｄに分割されている。
第１領域３０２ａ，３０２ｂ，３０２ｄは、ともに四角形状の領域であり、具体的には正方形状をしている。
第１領域３０２ａは、横断遮蔽部２５５を対称軸として、第１領域３０２ｄと線対称の関係となっており、縦断遮蔽部２５６を対称軸として、第１領域３０２ｂと線対称の関係となっている。
【０１１９】
第１領域３０２ａ（３０２ｂ，３０２ｄ）には、図２５（ｂ）から読み取れるように、第２接続遮蔽部３０３と、第２分岐遮蔽部３０５，３０６によって５つの分割領域３０７ａ〜３０７ｅに分割されている。
第２接続遮蔽部３０３は、第１領域３０２ａ（３０２ｂ，３０２ｄ）を斜め方向に横切る部位であり、額縁交差部７０（７１〜７３）と中央交差部２６２を接続する部位である。
第２接続遮蔽部３０３は、共通遮蔽部３０８と、分岐遮蔽部３１０ａ，３１０ｂから構成されている。
共通遮蔽部３０８は、額縁交差部７０から中央交差部２６２側に向かって直線状に延びる部位であり、分岐遮蔽部３１０ａ，３１０ｂは、共通遮蔽部３０８の端部から分岐して曲線状に延び、中央交差部２６２で合流する部位である。
第２分岐遮蔽部３０５は、分岐遮蔽部３１０ａの中間部から縦方向延伸部６５（６６）に繋がる部位である。第２分岐遮蔽部３０６は、分岐遮蔽部３１０ｂの中間部から横方向延伸部６８（６７）に繋がる部位である。
【０１２０】
第１領域３０２ａ，３０２ｂ，３０２ｄには、図２５（ａ）に示されるように、５種類の光透過孔３１２ａ〜３１２ｅを備えている。
光透過孔３１２ａ〜３１２ｅは、面発光パネル１０の発光領域３０からの光を透過可能な孔であり、本体板部５１の厚み方向に貫通した貫通孔である。
光透過孔３１２ａ〜３１２ｅは、各第１領域３０２ａ，３０２ｂ，３０２ｄに設けられ、第２接続遮蔽部３０３と、第２分岐遮蔽部３０５，３０６によって仕切られた孔である。すなわち、光透過孔３１２ａ〜３１２ｅは、分割領域３０７ａ〜３０７ｅに対応する孔である。
【０１２１】
続いて、平面光源３００を点灯させた状態及び消灯させた状態について説明する。
【０１２２】
平面光源３００は、図２６（ａ）のように、点灯した状態では、発光遮蔽部３０１によって発光領域３０からの光の一部が遮蔽され、発光遮蔽部３０１の各遮蔽部の形状に沿った模様が反映される。すなわち、発光領域３０からの光が各光透過孔３１２ａ〜３１２ｅを透過し、居住空間５０１側に照射され、各光透過孔３１２ａ〜３１２ｅが形成された部分のみが発光する。
【０１２３】
平面光源３００は、図２６（ｂ）のように、消灯した状態では、発光領域３０の化粧部材からの露出部分も鏡面となり、化粧部材の模様形成部とともに一つの鏡面を構成する。
【０１２４】
第４実施形態の平面光源３００によれば、異なる形状の第１領域３０２ａ，３０２ｂ，２６５ｃ，３０２ｄを備えているため、遮蔽率の差によって平面光源３００内で濃淡を出すことができる。
【０１２５】
続いて、第５実施形態の平面光源３５０について説明する。なお、第１〜４実施形態の平面光源２ａ，２ｂ，２５０，３００と同様の構成については、同様の符番を付して説明を省略する。
【０１２６】
第５実施形態の平面光源３５０は、図２７のように発光遮蔽部の一部の形状が第３実施形態の平面光源２５０と異なる。
平面光源３５０の発光遮蔽部３５１は、第３実施形態の発光遮蔽部２５３と同様、図２８（ａ）のように、横断遮蔽部３５２及び縦断遮蔽部３５３によって４つの第１領域７７ａ，３５５ｂ，３５５ｃ，７７ｄに分割されている。
第１領域３５５ｂ，３５５ｃは、ともに四角形状の領域であり、具体的には正方形状をしている。
第１領域３５５ｂは、横断遮蔽部３５２を対称軸として、第１領域３５５ｂと線対称の関係となっている。
【０１２７】
第１領域３５５ｂ，３５５ｃには、図２８（ｂ）から読み取れるように、第２接続遮蔽部２６６ａ〜２６６ｄが設けられており、第１領域３５５ｂ，３５５ｃは、第２接続遮蔽部２６６ａ〜２６６ｄによって４つの第２領域３５６ａ〜３５６ｄに分割されている。
第２領域３５６ａ〜３５６ｄには、図２８（ｃ）に示されるように、直角をなす角部から斜辺に向かって延びる第３接続遮蔽部２７８が設けられており、第２領域３５６ａ〜３５６ｄは、第３接続遮蔽部２７８によって、２つの第３領域３５７ａ，３５７ｂに分割されている。
第３領域３５７ａ，３５７ｂは、第４接続遮蔽部２８１と第５接続遮蔽部２８２を備えていない点で第３実施形態の第３領域２８０ａ，２８０ｂと異なる。
【０１２８】
第３領域３５７ａ，３５７ｂには、図２７，図２８（ｃ）から読み取れるように、２種類の光透過孔３５８ａ，３５８ｂが設けられている。
光透過孔３５８ａ，３５８ｂは、面発光パネル１０の発光領域３０からの光を透過可能な孔であり、本体板部５１の厚み方向に貫通した貫通孔であり、それぞれ三角形状をしている。
光透過孔３５８ａ，３５８ｂは、各第３領域３５７ａ，３５７ｂに設けられ、第３接続遮蔽部２７８によって仕切られた孔である。
【０１２９】
上記した実施形態において、平面光源の異なる実施形態の第１領域を組み合わせた形状であってもよい。
例えば、図２９（ａ）のように第１実施形態の１つの第１領域７７ａと第３実施形態の３つの第１領域２６５ａ，２６５ｂ，２６５ｄを組み合わせた形状であってもよいし（第６実施形態）、図２９（ｂ）のように第１実施形態の２つの第１領域７７ａ，７７ｄと第３実施形態の２つの第１領域２６５ｂ，２６５ｃを組み合わせた形状であってもよい（第７実施形態）。
【０１３０】
上記した実施形態では、発光遮蔽部の４つ以上の遮蔽部によって発光領域を分割していたが、本発明はこれに限定されるものではない。３つ以下の遮蔽部によって発光領域を分割してもよい。
例えば、図３０（ａ）のように一つの遮蔽部４００によって発光領域を２つの領域に分割してもよいし（第８実施形態）、図３０（ｂ）のように交差する２つの遮蔽部４１０，４１１によって発光領域を４つの領域に分割してもよいし（第９実施形態）、図３０（ｃ）のように交差する３つの遮蔽部４２０，４２１，４２２によって発光領域を５つの領域に分割してもよい（第１０実施形態）。
【０１３１】
上記した第１実施形態では、全ての平面光源２において、発光遮蔽部が発光領域３０を分割するものであったが、本発明はこれに限定されるものではなく、照明装置を構成する平面光源の内、少なくとも一つの平面光源において発光遮蔽部が発光領域を分割するものであればよい。例えば、照明装置を構成する平面光源の一種として、図３１のように、発光遮蔽部が発光領域を分割せず、扇形の光透過孔をもっていてもよい。
【０１３２】
上記した実施形態では、面発光パネル１０の発光領域３０は、消灯時に陰極層の色が反映され、鏡面を構成するものであったが、本発明はこれに限定されるものでない。面発光パネルの発光領域は、消灯時に陽極層の色が反映され、鏡面を構成するものであってもよい。
【０１３３】
上記した第１実施形態では、一つの取付部材に対して９つの平面光源２が取り付けられるものであったが、本発明はこれに限定されるものではない。一つの取付部材に対して２以上８以下の平面光源２を取り付けてもよいし、１０以上の平面光源２を取付けてもよい。
【０１３４】
上記した第１実施形態では、２種類の模様形成部をもつ平面光源の場合について説明したが、本発明はこれに限定されるものではない。１種類の模様形成部をもつ平面光源のみで形成されていてもよいし、図３２に示されるように、３種類以上の模様形成部をもつ平面光源を混在させてもよい。この場合、図３２のように、多数の平面光源によって、山柄等の一つの模様や絵柄を形成することが好ましい。
【０１３５】
上記した実施形態では、補強板と取付部材間の磁力によって取付部材に面発光パネルを取り付けたが、本発明はこれに限定されるものではない。例えば、化粧部材を強磁性体で形成し、化粧部材と取付部材との磁力によって取付部材に面発光パネルを取り付けてもよい。
【０１３６】
上記した実施形態では、補強板を強磁性体で形成し、取付部材に磁力発生部を備えることによって補強板と取付部材間に磁力を発生させたが、本発明はこれに限定されるものではない。取付部材の一部を強磁性体部で形成し、補強板に磁力発生部を設けて補強板と取付部材間に磁力を発生させてもよい。
【０１３７】
上記した実施形態では、磁力によって取付部材に面発光パネルを取り付けたが、本発明はこれに限定されるものではない。例えば、係合関係や接着手段等を利用して取付部材に面発光パネルを取り付けてもよい。
【０１３８】
上記した実施形態では、発光遮蔽部は、横断遮蔽部７５や縦断遮蔽部７６などによって額縁遮蔽部の内側の領域が複数の領域に完全に区切られたものであったが、本発明はこれに限定されるものではない。例えば、図３３の発光遮蔽部４３０のように、一部が繋がっていない部分があってもよい。
【０１３９】
上記した実施形態では、模様形成部が角麻模様を呈していたが、本発明はこれに限定するものではない。模様形成部は、例えば、図３４に示されるような、麻の葉模様、胡麻模様、桜模様、蜀江模様、紗綾形崩し模様、井筒割菱模様、割菱つなぎ模様、三重菱、千本格子模様、桝格子模様、青海波模様、七宝模様、かさね竜胆模様、籠目模様、三つ組手亀甲模様、分銅輪つなぎ模様、積石亀甲模様等の組子模様を呈していてもよい。
【０１４０】
本発明には、上記した実施形態の他に、例えば、図３５（ａ）及び図３５（ｂ）に示される平面光源や、図３５（ｃ）及び図３５（ｄ）に示される平面光源、図３６（ａ）及び図３６（ｂ）に示される平面光源や、図３６（ｃ）及び図３６（ｄ）に示される平面光源なども含まれる。
【符号の説明】
【０１４１】
１，２００  照明装置
２ａ，２ｂ，２５０，３００，３５０  平面光源
３，２０３  取付部材
１１，２５１  化粧部材
１２  発光面
１５  発光タイル
１６  フレーム部材
１７  補強板（強磁性部）
３０  発光領域
３１  額縁領域
５１  本体板部
５２  側面板部
６０，２５２  模様形成部
６１  額縁遮蔽部
６２，２５３，３０１，３５１  発光遮蔽部
６５，６６  縦方向延伸部
６７，６８  横縦方向延伸部
７５，２５５，３５２  横断遮蔽部
７６、２５６，３５３  縦断遮蔽部
７７ａ〜７７ｄ，２６５ａ〜２６５ｄ，３０２ａ，３０２ｂ，３０２ｄ，３５５ｂ，３５５ｄ  第１領域
９０ａ〜９０ｄ，２６６ａ〜２６６ｄ，３０３  第２接続遮蔽部（遮蔽延伸部）
９５ａ〜９５ｃ，２７８  第３接続遮蔽部（遮蔽延伸部）
９８ａ〜９８ｃ，２８３ａ〜２８３ｄ，３１２ａ〜３１２ｅ，３５８ａ，３５８ｂ  光透過孔
１０３，１０４  磁力発生部
２８１  第４接続遮蔽部
２８２  第５接続遮蔽部
【図１】
2018100741.tif 000003
【図２】
2018100741.tif 000004
【図３】
2018100741.tif 000005
【図４】
2018100741.tif 000006
【図５】
2018100741.tif 000007
【図６】
2018100741.tif 000008
【図７】
2018100741.tif 000009
【図８】
2018100741.tif 000010
【図９】
2018100741.tif 000011
【図１０】
2018100741.tif 000012
【図１１】
2018100741.tif 000013
【図１２】
2018100741.tif 000014
【図１３】
2018100741.tif 000015
【図１４】
2018100741.tif 000016
【図１５】
2018100741.tif 000017
【図１６】
2018100741.tif 000018
【図１７】
2018100741.tif 000019
【図１８】
2018100741.tif 000020
【図１９】
2018100741.tif 000021
【図２０】
2018100741.tif 000022
【図２１】
2018100741.tif 000023
【図２２】
2018100741.tif 000024
【図２３】
2018100741.tif 000025
【図２４】
2018100741.tif 000026
【図２５】
2018100741.tif 000027
【図２６】
2018100741.tif 000028
【図２７】
2018100741.tif 000029
【図２８】
2018100741.tif 000030
【図２９】
2018100741.tif 000031
【図３０】
2018100741.tif 000032
【図３１】
2018100741.tif 000033
【図３２】
2018100741.tif 000034
【図３３】
2018100741.tif 000035
【図３４】
2018100741.tif 000036
【図３５】
2018100741.tif 000037
【図３６】
2018100741.tif 000038
【手続補正書】
【提出日】平成29年4月6日(2017.4.6)
【手続補正１】
【補正対象書類名】特許請求の範囲
【補正対象項目名】全文
【補正方法】変更
【補正の内容】
【特許請求の範囲】
【請求項１】
発光面を有する面発光パネルと、前記面発光パネルの発光面を覆う化粧部材を備えた平面光源であって、
前記発光面には、点灯時に、面状の光を放射する発光領域と、前記発光領域を囲む非発光の額縁領域が存在し、
前記化粧部材は、模様形成部を有し、
前記模様形成部は、正面視したときに、前記額縁領域の全域を覆う額縁遮蔽部と、前記額縁遮蔽部から前記発光領域を複数の領域に分割するように延びる発光遮蔽部を備えており、前記発光遮蔽部は、前記発光領域と重なっていることを特徴とする平面光源。
【請求項２】
前記発光遮蔽部は、正面視したときに、前記発光領域の５％以上７５％以下を覆うことを特徴とする請求項１に記載の平面光源。
【請求項３】
前記化粧部材は、前記模様形成部を含む本体板部と、前記本体板部の端部から折れ曲がった側面板部を有し、
前記面発光パネルは、面発光タイルと、前記面発光タイルを保護するフレーム部材を有し、
前記フレーム部材は、樹脂製であって、弾性を有するものであり、
前記フレーム部材の一部は、前記面発光タイルの端面と、前記側面板部によって挟まれていることを特徴とする請求項１又は２に記載の平面光源。
【請求項４】
前記面発光パネルは、消灯時において、前記模様形成部とともに一つの鏡面を形成することを特徴とする請求項１〜３のいずれかに記載の平面光源。
【請求項５】
前記模様形成部は、幅が等しい発光遮蔽部を少なくとも２つ有し、
前記２つの発光遮蔽部は、正面視したときに、前記発光領域を３つ以上に分割していることを特徴とする請求項１〜４のいずれかに記載の平面光源。
【請求項６】
前記模様形成部は、板状であって、前記発光領域からの光を透過可能な光透過孔を複数備えていることを特徴とする請求項１〜５のいずれかに記載の平面光源。
【請求項７】
前記発光遮蔽部は、正面視したときに、縦方向成分及び横方向成分をもって延びる遮蔽延伸部を備えていることを特徴とする請求項１〜６のいずれかに記載の平面光源。
【請求項８】
前記発光領域の総面積に対する前記模様形成部が前記発光領域を覆う総面積を遮蔽率としたときに、前記発光遮蔽部によって分割された領域の中には、遮蔽率が異なる領域が含まれていることを特徴とする請求項１〜７のいずれかに記載の平面光源。
【請求項９】
請求項１〜８のいずれかに記載の平面光源と、前記平面光源と模様形成部が異なる他の平面光源を有した照明装置であって、
前記平面光源と前記他の平面光源は、隣接して並べられており、
前記発光領域の総面積に対する前記模様形成部が前記発光領域を覆う総面積を遮蔽率としたときに、前記平面光源と前記他の平面光源は、遮蔽率が異なることを特徴とする照明装置。
【請求項１０】
前記平面光源の模様形成部と、前記他の平面光源の模様形成部は、点灯時に一つの模様を構成することを特徴とする請求項９に記載の照明装置。
【請求項１１】
請求項１〜８のいずれかに記載の平面光源と、被取付面に対して固定可能な取付部材を備える照明装置であって、
前記取付部材は、磁力発生部又は強磁性部を有し、
前記平面光源は、背面側に、前記取付部材の磁力発生部又は強磁性部と対をなす強磁性部又は磁力発生部を備えており、前記磁力発生部と前記強磁性部との間で生じる磁力によって前記取付部材に固定されていることを特徴とする照明装置。
【手続補正書】
【提出日】平成29年6月19日(2017.6.19)
【手続補正１】
【補正対象書類名】特許請求の範囲
【補正対象項目名】全文
【補正方法】変更
【補正の内容】
【特許請求の範囲】
【請求項１】
発光面を有する面発光パネルと、前記面発光パネルの発光面を覆う化粧部材を備えた平面光源であって、
前記発光面には、点灯時に、面状の光を放射する発光領域と、前記発光領域を囲む非発光の額縁領域が存在し、
前記化粧部材は、模様形成部を有し、
前記模様形成部は、正面視したときに、前記額縁領域の全域を覆う額縁遮蔽部と、前記額縁遮蔽部から前記発光領域を複数の領域に分割するように延びる発光遮蔽部を備えており、前記発光遮蔽部は、前記発光領域と重なっており、
前記発光遮蔽部は、光透過孔を複数備えており、
前記光透過孔は、貫通孔であって、前記面発光パネルの前記発光領域からの光を透過可能であり、
前記面発光パネルの前記発光領域の一部は、前記光透過孔から露出していることを特徴とする平面光源。
【請求項２】
前記発光遮蔽部は、正面視したときに、前記発光領域の５％以上７５％以下を覆うことを特徴とする請求項１に記載の平面光源。
【請求項３】
前記化粧部材は、前記模様形成部を含む本体板部と、前記本体板部の端部から折れ曲がった側面板部を有し、
前記面発光パネルは、面発光タイルと、前記面発光タイルを保護するフレーム部材を有し、
前記フレーム部材は、樹脂製であって、弾性を有するものであり、
前記フレーム部材の一部は、前記面発光タイルの端面と、前記側面板部によって挟まれていることを特徴とする請求項１又は２に記載の平面光源。
【請求項４】
前記面発光パネルは、消灯時において、前記模様形成部とともに一つの鏡面を形成することを特徴とする請求項１〜３のいずれかに記載の平面光源。
【請求項５】
前記模様形成部は、幅が等しい発光遮蔽部を少なくとも２つ有し、
前記２つの発光遮蔽部は、正面視したときに、前記発光領域を３つ以上に分割していることを特徴とする請求項１〜４のいずれかに記載の平面光源。
【請求項６】
前記発光遮蔽部は、正面視したときに、縦方向成分及び横方向成分をもって延びる遮蔽延伸部を備えていることを特徴とする請求項１〜５のいずれかに記載の平面光源。
【請求項７】
前記発光領域の総面積に対する前記模様形成部が前記発光領域を覆う総面積を遮蔽率としたときに、前記発光遮蔽部によって分割された領域の中には、遮蔽率が異なる領域が含まれていることを特徴とする請求項１〜６のいずれかに記載の平面光源。
【請求項８】
請求項１〜７のいずれかに記載の平面光源と、前記平面光源と模様形成部が異なる他の平面光源を有した照明装置であって、
前記平面光源と前記他の平面光源は、隣接して並べられており、
前記発光領域の総面積に対する前記模様形成部が前記発光領域を覆う総面積を遮蔽率としたときに、前記平面光源と前記他の平面光源は、遮蔽率が異なることを特徴とする照明装置。
【請求項９】
前記平面光源の模様形成部と、前記他の平面光源の模様形成部は、点灯時に一つの模様を構成することを特徴とする請求項８に記載の照明装置。
【請求項１０】
請求項１〜７のいずれかに記載の平面光源と、被取付面に対して固定可能な取付部材を備える照明装置であって、
前記取付部材は、磁力発生部又は強磁性部を有し、
前記平面光源は、背面側に、前記取付部材の磁力発生部又は強磁性部と対をなす強磁性部又は磁力発生部を備えており、前記磁力発生部と前記強磁性部との間で生じる磁力によって前記取付部材に固定されていることを特徴とする照明装置。
【請求項１１】
発光面を有する面発光パネルと、前記面発光パネルの発光面を覆う化粧部材を備え、
前記発光面には、点灯時に、面状の光を放射する発光領域と、前記発光領域を囲む非発光の額縁領域が存在し、
前記化粧部材が、模様形成部を有し、
前記模様形成部が、正面視したときに、前記額縁領域の全域を覆う額縁遮蔽部と、前記額縁遮蔽部から前記発光領域を複数の領域に分割するように延びる発光遮蔽部を備えており、前記発光遮蔽部が、前記発光領域と重なった平面光源を複数有した照明装置であって、
前記一の平面光源と前記他の平面光源は、隣接して並べられており、
前記一の平面光源の模様形成部と、前記他の平面光源の模様形成部は、点灯時に一つの模様を構成することを特徴とする照明装置。
【手続補正書】
【提出日】平成29年9月12日(2017.9.12)
【手続補正１】
【補正対象書類名】特許請求の範囲
【補正対象項目名】全文
【補正方法】変更
【補正の内容】
【特許請求の範囲】
【請求項１】
発光面を有する面発光パネルと、前記面発光パネルの発光面を覆う化粧部材を備えた平面光源であって、
前記発光面には、点灯時に、面状の光を放射する発光領域と、前記発光領域を囲む非発光の額縁領域が存在し、
前記化粧部材は、模様形成部を有し、
前記模様形成部は、正面視したときに、前記額縁領域の全域を覆う額縁遮蔽部と、前記額縁遮蔽部から前記発光領域を複数の領域に分割するように延びる発光遮蔽部を備えており、前記発光遮蔽部は、前記発光領域と重なっており、
前記発光遮蔽部は、光透過孔を複数備えており、
前記光透過孔は、貫通孔であって、前記面発光パネルの前記発光領域からの光を透過可能であり、
前記面発光パネルの前記発光領域の一部は、前記光透過孔から露出しており、
前記化粧部材は、前記模様形成部を含む本体板部を有し、
前記本体板部は、前記面発光パネルに比べて薄いことを特徴とする平面光源。
【請求項２】
前記発光遮蔽部は、正面視したときに、前記発光領域の５％以上７５％以下を覆うことを特徴とする請求項１に記載の平面光源。
【請求項３】
前記化粧部材は、前記模様形成部を含む本体板部と、前記本体板部の端部から折れ曲がった側面板部を有し、
前記面発光パネルは、面発光タイルと、前記面発光タイルを保護するフレーム部材を有し、
前記フレーム部材は、樹脂製であって、弾性を有するものであり、
前記フレーム部材の一部は、前記面発光タイルの端面と、前記側面板部によって挟まれていることを特徴とする請求項１又は２に記載の平面光源。
【請求項４】
前記面発光パネルは、消灯時において、前記模様形成部とともに一つの鏡面を形成することを特徴とする請求項１〜３のいずれかに記載の平面光源。
【請求項５】
前記模様形成部は、幅が等しい発光遮蔽部を少なくとも２つ有し、
前記２つの発光遮蔽部は、正面視したときに、前記発光領域を３つ以上に分割していることを特徴とする請求項１〜４のいずれかに記載の平面光源。
【請求項６】
前記発光遮蔽部は、正面視したときに、縦方向成分及び横方向成分をもって延びる遮蔽延伸部を備えていることを特徴とする請求項１〜５のいずれかに記載の平面光源。
【請求項７】
前記発光領域の総面積に対する前記模様形成部が前記発光領域を覆う総面積を遮蔽率としたときに、前記発光遮蔽部によって分割された領域の中には、遮蔽率が異なる領域が含まれていることを特徴とする請求項１〜６のいずれかに記載の平面光源。
【請求項８】
請求項１〜７のいずれかに記載の平面光源と、前記平面光源と模様形成部が異なる他の平面光源を有した照明装置であって、
前記平面光源と前記他の平面光源は、隣接して並べられており、
前記発光領域の総面積に対する前記模様形成部が前記発光領域を覆う総面積を遮蔽率としたときに、前記平面光源と前記他の平面光源は、遮蔽率が異なることを特徴とする照明装置。
【請求項９】
前記平面光源の模様形成部と、前記他の平面光源の模様形成部は、点灯時に一つの模様を構成することを特徴とする請求項８に記載の照明装置。
【請求項１０】
請求項１〜７のいずれかに記載の平面光源と、被取付面に対して固定可能な取付部材を備える照明装置であって、
前記取付部材は、磁力発生部又は強磁性部を有し、
前記平面光源は、背面側に、前記取付部材の磁力発生部又は強磁性部と対をなす強磁性部又は磁力発生部を備えており、前記磁力発生部と前記強磁性部との間で生じる磁力によって前記取付部材に固定されていることを特徴とする照明装置。
【請求項１１】
発光面を有する面発光パネルと、前記面発光パネルの発光面を覆う化粧部材を備え、
前記発光面には、点灯時に、面状の光を放射する発光領域と、前記発光領域を囲む非発光の額縁領域が存在し、
前記化粧部材が、模様形成部を有し、
前記模様形成部が、正面視したときに、前記額縁領域の全域を覆う額縁遮蔽部と、前記額縁遮蔽部から前記発光領域を複数の領域に分割するように延びる発光遮蔽部を備えており、前記発光遮蔽部が、前記発光領域と重なった平面光源を複数有した照明装置であって、
前記一の平面光源と前記他の平面光源は、隣接して並べられており、
前記一の平面光源の模様形成部と、前記他の平面光源の模様形成部は、点灯時に一つの模様を構成することを特徴とする照明装置。
【国際調査報告】
2018100741.tif 000039
2018100741.tif 000040